(57)【特許請求の範囲】
【請求項１】
所定時間操作が無い場合に、通常状態から、より消費電力の少ない待機状態に遷移するリモートコントロール装置であって、
筐体と、
前記筐体の振動を検知する振動検知手段と、
待機状態時に前記振動検知手段が振動を検知した場合、通常状態に遷移させる制御手段と、
情報を表示する表示手段と、を備え、
前記振動検知手段は、
収納部を有するケースと、
前記収納部内を転動可能に収納される導体球と、
前記収納部の内面に配設され、前記導体球を介して導通可能な複数の接点と、を備え、
前記導体球が転動することにより前記接点間の導通状態が変化した場合に振動を検知するものであり、
前記振動検知手段は、前記筐体を予め設定されている設置状態に設置した際に、前記導体球が転動する限界となるように、且つ前記筐体が水平に設置された状態からユーザが前記表示手段の表示面を近づける方向に前記筐体を回転させた場合に、前記導体球がより転動し易くなるように、前記筐体内に固定されている、
ことを特徴とするリモートコントロール装置。
【請求項２】
前記予め設定されている設置状態は水平および垂直に前記筐体が設置されている状態である、
ことを特徴とする請求項１に記載のリモートコントロール装置。
【請求項３】
前記筐体内の内部の基板に傾斜面を有するソケットを固定し、該ソケットの傾斜面上に前記振動検知手段が固定される、
ことを特徴とする請求項１又は２に記載のリモートコントロール装置。
【請求項４】
前記筐体を予め設定されている設置状態に設置した際に、前記導体球が転動する限界となるように前記収納部が形成される、
ことを特徴とする請求項１又は２に記載のリモートコントロール装置。
【請求項５】
前記振動検知手段は前記筐体内の内部の基板に固定され、
前記基板は、前記筐体を予め設定されている設置状態に設置した際に前記導体球が転動する限界となるような角度で前記筐体内に設置される、
ことを特徴とする請求項１又は２に記載のリモートコントロール装置。
【発明の詳細な説明】
【技術分野】
【０００１】
本発明は、家電機器等を遠隔操作可能なリモートコントロール装置に関する。
【背景技術】
【０００２】
視認性や操作性を向上させるため、エアコンやテレビといった家電機器を遠隔操作するリモートコントロール装置（リモコン）にカラー液晶画面や無線通信手段を搭載する等して高性能化・高機能化することが行われている。リモコンは、一般的に電池駆動で使用されるため、電池交換の手間を減らすためにも低消費電力が求められる。従って、このような高性能化・高機能化に伴うリモコンの消費電力の増大が課題となる。
【０００３】
このような課題を解決するために、ユーザがリモコンを使用していない場合に、液晶のバックライトを消灯したりリモコンの制御回路や通信回路への電力供給を制限したりする待機モードに遷移して消費電力を小さくすることが考えられる。例えば、特許文献１には、リモコンの振動を検知する振動検知部を設け、振動を検知したときは、液晶パネル背面のバックライトおよびボタン背面の白色ＬＥＤを点灯させ、その後、時間が経過するのに伴って、白色ＬＥＤを消灯し、バックライトを調光し、最後にバックライトを消灯することで、リモコンの振動が検知されない未使用時に電力消費量を削減するリモコンが開示されている。
【０００４】
リモコン装置の振動を検知する方法としては、小型化が可能な半導体式の加速度センサを搭載することが考えられる。しかし、半導体式の加速度センサは比較的高価であり、リモートコントロール装置の製造コストが増大してしまうという問題がある。
【０００５】
また、リモートコントロール装置の振動を検知する他の方法として、特許文献２および特許文献３に記載されているような傾斜センサを用いることが考えられる。この傾斜センサは、内部に転動可能な導体球が配置され、導体球が転動することにより、接点の接触状態が変化することにより傾斜を検知する。振動に対しても導体球は転動して接点の接触状態が変化するため、この傾斜センサを用いて振動を検知することが可能である。また、この傾斜センサは、構造が比較的簡単であるため、半導体式の加速度センサ等に比べ安価に製造することができる。
【先行技術文献】
【特許文献】
【０００６】
【特許文献１】特開２００７−１７４３２７号公報
【特許文献２】特開２００３−２３４０５０号公報
【特許文献３】特開平１１−１１１１３０号公報
【発明の概要】
【発明が解決しようとする課題】
【０００７】
特許文献２および特許文献３に記載されている傾斜センサを用いてリモコンの振動を検知する場合、静置されている傾斜センサの傾きが異なると振動に対する出力が異なるため、リモコンの置き方によって振動検知の感度が異なり、精度良く振動を検知することができなくなってしまうという問題を有する。
【０００８】
特にエアコンのような家電機器のリモコンは、ユーザによって机の上などに水平に置く場合と壁などにかけたりスタンドに立てたりするなど垂直に置く場合との２つの設置状態が想定され、いずれの設置状態からも振動を正しく検知する必要がある。
【０００９】
本発明は、上記問題に鑑みてなされたものであり、想定される設置状態で精度よく振動を検知して待機状態から通常状態に遷移できることを可能にしたリモートコントロール装置を提供することを目的とする。
【課題を解決するための手段】
【００１０】
上記目的を達成するため、本発明に係るリモートコントロール装置は、所定時間操作が無い場合に、通常状態から、より消費電力の少ない待機状態に遷移するリモートコントロール装置であって、筐体と、前記筐体の振動を検知する振動検知手段と、待機状態時に前記振動検知手段が振動を検知した場合、通常状態に遷移させる制御手段と、情報を表示する表示手段と、を備え、前記振動検知手段は、収納部を有するケースと、前記収納部内を転動可能に収納される導体球と、前記収納部の内面に配設され、前記導体球を介して導通可能な複数の接点と、を備え、前記導体球が転動することにより前記接点間の導通状態が変化した場合に振動を検知するものであり、前記振動検知手段は、前記筐体を予め設定されている設置状態に設置した際に、前記導体球が転動する限界となるように、且つ前記筐体が水平に設置された状態からユーザが前記表示手段の表示面を近づける方向に前記筐体を回転させた場合に、前記導体球がより転動し易くなるように、前記筐体内に固定されている、ことを特徴とする。
【発明の効果】
【００１１】
本発明によれば、予め設定されている設置状態にリモコンを設置した際に導体球が転動する限界となるように振動検知部が固定される。従って、想定される設置状態で振動を精度よく検知して、待機状態から通常状態に遷移することができる。
【図面の簡単な説明】
【００１２】
【図１】（Ａ）は、本発明の実施形態に係るリモートコントロール装置の概観を示す図であり、（Ｂ）は、内部を示す図である。
【図２】図１に示すリモートコントロール装置の構成を示すブロック図である。
【図３】振動検知部の断面図である。
【図４】リモートコントロール装置の静置状態を示した図である。
【図５】従来のリモートコントロール装置の内部を示した図である。
【図６】図１に示すリモートコントロール装置を水平に静置した場合の振動検知部の状態を示す図である。
【図７】振動検知部の回転方向と導体球の状態との関係を示す図である。
【図８】ユーザが図１に示すリモートコントロール装置を手に取った状態を示す図である。
【図９】図１に示すリモートコントロール装置を垂直に静置した場合の内部を示す図である。
【図１０】図１に示すリモートコントロール装置を垂直に静置した場合の振動検知部の状態を示す図である。
【図１１】振動検知部を筐体内に固定する例を示した図である。
【図１２】振動検知部を筐体内に固定する例を示した図である。
【図１３】振動検知部を筐体内に固定する例を示した図である。
【図１４】図１に示すリモートコントロール装置の起動時の動作を説明するためのフローチャートである。
【図１５】本発明の他の実施形態に係るリモートコントロール装置の内部を示す図である。
【発明を実施するための形態】
【００１３】
以下、本発明の実施形態について、図面を参照しながら詳細に説明する。なお、本発明は下記の実施形態及び図面によって限定されるものではない。本発明の要旨を変更しない範囲で下記の実施形態及び図面に変更を加えることが出来るのはもちろんである。また、図中同一または相当部分には同一符号を付す。
【００１４】
図１（Ａ）は、本発明の実施形態に係るリモートコントロール装置１０（以下、リモコン１０とする）の概観を示す図である。図１（Ｂ）は、図１（Ａ）に示すリモコン１０の内部を示す図である。図２は、リモコン１０の構成を示すブロック図である。
【００１５】
本実施形態に係るリモコン１０は、図１、図２に示すように、筐体１１と、表示部１２と、入力部１３と、制御基板１４と、振動検知部１５、電源部１６とを備える。
【００１６】
表示部１２は、例えば液晶パネルで構成され、筐体１１の上面側に組み込まれている。表示部１２の表示面が筐体１１から露出し、表示部１２の表示面には、入力部１３によって選択された指示内容や操作対象機器に関する各種の情報などが表示される。
【００１７】
入力部１３は各種のボタンを備え、ユーザにより各ボタンが押下された際に、そのボタンに対応した信号を後述するＣＰＵ（Central Processing Unit）１４５に入力する。
【００１８】
電源部１６は、ＣＰＵ１４５の制御に基づいて、リモコン１０の各部に電力を供給する。
【００１９】
制御基板１４には、リモコン１０全体を制御する制御回路が形成されている。制御回路は、図２に示すようにＲＯＭ（Read Only Memory）１４１と、ＲＡＭ（Random Access Memory）１４２と、計時部１４３と、通信部１４４と、ＣＰＵ１４５と、発振回路１４６と、を備える。
【００２０】
ＲＯＭ１４１は、ＣＰＵ１４５が実行するためのプログラム等の固定データを記憶する。
【００２１】
ＲＡＭ１４２は、ＣＰＵ１４５がＲＯＭ１４１に記憶されたプログラムを実行するときのワークスペースとなる。また、ＲＡＭ１４２には、現在の動作状態を示す情報が記憶される。
【００２２】
計時部１４３は水晶振動子等から構成され、ＣＰＵ１４５の指示に基づいて時間を計時する。
【００２３】
通信部１４４は、赤外線発光ユニット等を備え、制御部１６からの指令に基づいて赤外線発光ユニットから所定の信号（即ち、赤外線コマンド：操作指令）を発生させる。操作対象機器体（エアコン、テレビ等）は、この赤外線コマンドを受信すると、受信した赤外線コマンドに従った動作を実行する。
発信回路１４６は、クロックパルスを生成してＣＰＵ１４５に供給する。
【００２４】
ＣＰＵ１４５は、発振回路１４６から供給されるクロックパルスで動作し、ＲＯＭ１４１に記憶されているプログラムを実行することにより、リモコン１０の各部の動作を制御する。例えば、ＣＰＵ１４５は、入力部１３からの操作信号に基づいて、表示部１２の表示を切り替えたり、通信部１４４から赤外線コマンドを送信させたりする処理を行う。
【００２５】
また、ＣＰＵ１４５は、リモコン１０の使用状況に応じて、リモコン１０の動作状態を通常状態と待機状態とに切り替えるための処理を行う。具体的には、ＣＰＵ１４５は、通常状態時に一定時間操作入力が無く、且つ、振動も検知されない場合に、リモコン１０の状態を待機状態に切り替える。また、ＣＰＵ１４５は、待機状態時に振動が検知された場合や操作入力があった場合に、リモコンの状態を動作状態に切り替える。なお、これらの処理の詳細については後述する。
【００２６】
なお、通常状態とは、リモコン１０の各部に十分な電力が供給されている状態を示す。ユーザは、通常状態時に、入力部１３を操作して様々な処理をＣＰＵ１４５に実行させることができる。
【００２７】
一方、待機状態とは、リモコン１０の一部への電力供給を停止したり制限したりすることにより、リモコン１０の消費電力を抑えた状態を示す。
例えば、表示部１２がバックライト付きの液晶で構成されている場合、待機状態時に、ＣＰＵ１４５は、電源部１６から供給される電力を制御して、バックライトを消灯し、液晶の表示や通信部１４４への電力供給を停止する。さらに、待機状態時に、ＣＰＵ１４５は、発振回路１４６を制御して、自身の動作クロック周波数を低下させてもよい。
【００２８】
振動検知部１５は、筐体１１の振動を検知し、検知したことを示す信号をＣＰＵ１４５に出力する。なお、本実施形態における振動検知部１５は、特許文献２、３に開示されている傾斜センサと類似した構成を有しており、傾斜の検知を振動の検知に応用したものである。
【００２９】
振動検知部１５は、図３に示すように、収納部Ｓを有する合成樹脂などの絶縁体によって箱状に形成されたケース１５１と、収納部Ｓ内を転動可能に収納された導体球１５２とを備える。また、収納部Ｓの内面には、導電性金属板からなる１対の固定接点１５３ａ，１５３ｂが配設される。なお、１対の固定接点１５３ａ，１５３ｂは、図示せぬリード線等を介して、制御基板１４上のＣＰＵ１４５と接続され、固定接点１５３ａ，１５３ｂ間が導通状態となった場合に、そのオン信号（電気信号）が送信される。
【００３０】
図３（Ａ）に示すように水平に振動検知部１５が位置する場合、導体球１５２は固定接点１５３ａ，１５３ｂと接触せず、固定接点１５３ａ，１５３ｂ間は電流が流れない開放状態となる。一方、図３（Ａ）を９０度回転させて図３（Ｂ）に示すように振動検知部１５を垂直に位置させた場合、導体球１５２は重力により収納部Ｓ内を転動して固定接点１５３ａ，１５３ｂと接触する。従って、導体球１５２を介して固定接点１５３ａ，１５３ｂ間に電流が流れて導通状態となり、そのオン信号がＣＰＵ１４５に送信される。なお、図３（Ａ）に示す振動検知部１５の位置状態を水平状態、図３（Ｂ）に示す振動検知部１５の位置状態を垂直状態として以下説明する。
【００３１】
従って、ＣＰＵ１４５は、振動検知部１５からのオン信号の有無を判別することにより、振動検知部１５の傾斜を把握することができる。また、振動検知部１５に振動が加えられた際にも導体球１５２は転動して固定接点１５３ａ，１５３ｂとの接離が発生して固定接点１５３ａ，１５３ｂ間の開放／導通の状態が変化するため、振動を検知することが可能となる。具体的には、ＣＰＵ１４５は、振動検知部１５からオン信号を受信した場合、又は、受信していたオン信号の受信が途絶えた場合に、振動が発生したと判別する。
【００３２】
なお、図３（Ｂ）に示すように振動検知部１５が垂直状態に静置されている場合、小さい振動でも導体球１５２が固定接点１５３ａ，１５３ｂから一時的に離れて固定接点１５３ａ，１５３ｂ間は瞬間的に開放状態となるため、振動を感度よく検知することができる。
一方、図３（Ａ）に示すように振動検知部１５が水平状態に静置されている場合は、固定接点１５３ａ，１５３ｂ間が導通状態になるために導体球１５２は収納部Ｓ内を大きく移動（転動）する必要があるため、図３（Ｂ）の垂直状態と比べて、小さな振動を検知することができない。
従って、図３（Ａ）に示すように振動検知部１５が水平状態にある場合と、図３（Ｂ）に示すように垂直状態にある場合とでは、振動検知部１５の振動検知の感度が異なることとなる。
【００３３】
一般的に、リモコン１０は、図４に示すように、机上等に水平に置かれる場合と、壁面やスタンドに立てかけられるなどして垂直に置かれる場合とが想定される。
【００３４】
従って、例えば、図５に示すように、振動検知部１５を単純に制御基板１４上に水平又は垂直に固定してリモコン１０を構成した場合、このリモコン１０を水平に載置した場合と垂直に載置した場合とで振動検知の精度が異なり、載置状態によっては振動を精度よく検出できないこととなる。
【００３５】
これに対し、本願発明では、図１（Ｂ）に示すように、リモコン１０を水平に静置した際に収納部Ｓ内の導体球１５２が転動する限界となるような角度（水平面に対する角度α）で振動検知部１５が筐体１１内に固定される。
【００３６】
即ち、リモコン１０を水平に静置した際、図６（Ａ）又は（Ｂ）に示すように、振動検出部１５の導体球１５２は辛うじて停止している状態となる。そのため、僅かな振動であっても導体球１５２は転動して、図６（Ｂ）又は（Ａ）に示す状態となり固定接点間の導通／開放状態が変化する。従って、振動を精度よく検知することが可能となる。
【００３７】
なお、図７（Ａ）に示すような転動限界位置に導体球１５２がある場合、この状態から振動検知部１５を右方向に回転動作させる場合（図７（Ｃ））よりも、左方向に回転動作させる場合（図７（Ｂ））のほうが導体球１５２は転動し易く、振動を精度よく検知できる。
一般的に、水平状態に置かれているリモコン１０をユーザが手にとる場合、リモコン１０の表示部１２を視認し易くするために、図８に示すように、表示部１２の表示面を近づける方向にリモコン１０を回転動作させることが多い。従って、振動検知部１５の導体球１５２が転動する限界となる角度であり、且つ、ユーザが水平状態から表示部１２の表示面を近づける方向に回転動作させた場合に導体球１５２が転動し易いように振動検知部１５を固定することで、ユーザがリモコン１０を手に持った際の振動をより確実に検知することができる。具体的には、図１（Ｂ）に示すような向きで水平にリモコン１０を静置した場合に、導体球が図６（Ｂ）に示す状態よりは、図６（Ａ）に示す状態になるように、振動検知部１５を固定するのが望ましい。
【００３８】
なお、図１（Ｂ）に示すように水平に置かれているリモコン１０を壁に掛ける等して図９に示すように垂直に置かれる場合も考えられる。この場合も水平に置いた場合と同様に、図１０（Ａ）（Ｂ）に示すように、収納部Ｓ内の導体球１５２が転動する限界となる角度αで振動検知部１５が筐体１１内に固定される。従って、僅かな振動であっても固定接点間の導通／開放状態が変化し、振動を精度よく検知することが可能となる。
【００３９】
なお、振動検知部１５を筐体１１内に固定する方法は任意である。例えば、図１１に示すように、リモコン１０を水平及び垂直に静置した際に導体球１５２が転動する限界となるような角度の傾斜面１６ａを有するソケット１６を制御基板１４上に配設し、傾斜面１６ａ上に振動検知部１５を接着剤やビス等で固定したり、振動検知部１５のリード線をソケット１６に挿入して固定してもよい。
【００４０】
また、図１２に示すように、振動検知部１５を水平及び垂直に静置した際に導体球１５２が転動する限界となるような角度で傾斜させた形状に収納部Ｓを形成した振動検知部１５を、図５に示すように制御基板１４上に水平、又は垂直に固定してもよい。
【００４１】
また、図１３（Ａ）に示すように、振動検知部１５を水平及び垂直に静置した際に導体球１５２が転動する限界となるような角度に制御基板１４を傾斜させ、その上に振動検知部１５を固定してもよい。
【００４２】
また、図１３（Ａ）では制御基板１４全体を傾斜させているが、図１３（Ｂ）に示すように制御基板１４を複数の制御基板１４ａ，１４ｂ，１４ｃから構成し、振動検知部１５が載置される制御基板１４ｂのみを傾斜させるようにしてもよい。なお、この場合、各基板をケーブルハーネスやコネクタ等の接合部１７で接合する必要がある。
【００４３】
また、図１３（Ｃ）に示すように制御基板１４を折り曲げて水平部分と傾斜部分とを設け、傾斜部分に振動検知部１５を配置してもよい。
【００４４】
なお、振動検知部１５を固定する手法は、図１１〜図１３で説明した手法に限定されず、リモコン１０を水平及び垂直に静置した際に導体球１５２が転動する限界となるような角度で振動検知部１５を固定できるならば、如何なる手法で振動検知部１５を固定してよい。
【００４５】
（リモコン１０の動作）
続いて、本実施形態に係るリモコン１０の動作について、図１４のフローチャートを用いて説明する。
【００４６】
リモコン１０の電源スイッチが押下されると、各部に電力が供給されてリモコン１０は起動する。なお、この際、動作状態は通常状態で起動する。起動が完了し、入力部１３からボタンの押下等の操作入力があった場合（ステップＳ１０１；Ｙｅｓ）、ＣＰＵ１４５は、該操作入力に応じた所定の処理を実施する（ステップＳ１０２）。なお、ここでの所定の処理とは、例えば、赤外線コマンドを通信部１４４から送信させたり、表示部１２に特定の情報を表示させたりする処理である。
【００４７】
入力部１３からの操作入力がない場合（ステップＳ１０１；Ｎｏ）、ＣＰＵ１４５は、所定時間（例えば５分）を計時するために、計時部１４３を制御して計時時間を０にセットし、所定時間の計時を開始させる（ステップＳ１０３）。そして、所定時間が経過したと判別した場合（ステップＳ１０４；Ｙｅｓ）、ＣＰＵ１４５は、動作状態を通常状態から待機状態に遷移させる（ステップＳ１０７）。具体的には、ＣＰＵ１４５は、表示部１２、入力部１３、及び通信部１４４への電力の供給を停止し、自身の動作周波数を下げる等の処理を行う。
【００４８】
また、所定時間が経過する前に（ステップＳ１０４；Ｎｏ）、振動検知部１５から振動検知を示す信号を受信した場合（ステップＳ１０５；Ｙｅｓ）、ＣＰＵ１４５は、計時部１４３を制御して計時時間を０にリセットするとともに所定時間の計時を再スタートし（ステップＳ１０６）、ステップＳ１０４に処理は戻る。
【００４９】
ステップＳ１０７で待機状態に遷移した後、入力部１３から操作入力があった場合（ステップＳ１０８；Ｙｅｓ）、ＣＰＵ１４５は、動作状態を待機状態から通常状態に遷移させる（ステップＳ１０９）。具体的には、ＣＰＵ１４５は、リモコン１０の各部に十分な電力を供給し、自身の動作クロック数を上げる等の処理を行う。
【００５０】
なお、ＣＰＵ１４５は、通常状態に遷移する際、通信部１４４を制御して、操作対象機器に表示データを問い合わせる要求を送信し、受信した表示データを表示部１２に表示させてもよい。なお、表示データは、例えば、操作対象機器がエアコンであれば、現在の運転状態や、さらには省エネルギー運転状況などを示すデータである。このようにすることで、ユーザがリモコン１０を手にしたことを振動検知部１５により検知するとすぐに、リモコン１０の表示部１２に操作対象機器側の情報が表示されるため、利便性が向上する。
【００５１】
通常状態に遷移した後、ＣＰＵ１４５は、操作入力に応じた所定の処理を実施し（ステップＳ１１０）、ステップＳ１０１に処理は移る。
【００５２】
また、ステップＳ１０７で待機状態に遷移した後、振動検知部１５から振動検知を示す信号を受信した場合（ステップＳ１１１；Ｙｅｓ）、ＣＰＵ１４５は、動作状態を待機状態から通常状態に遷移させ（ステップＳ１１２）、ステップＳ１０１に処理は移る。また、操作入力がなく（ステップＳ１０８；Ｎｏ）、且つ、振動検知示す信号の受信もない場合は（ステップＳ１１１；Ｎｏ）、待機状態が維持される。
【００５３】
以上説明したように、本発明の実施形態に係るリモコン１０は、静置されているときは消費電力の小さい待機状態に遷移するため、カラー液晶画面を備えたり無線通信手段を備えたりして機能性を高め、通常状態での消費電力が大きい場合であっても全体的に低消費電力で動作することが可能となる。また、リモコン１０が静置されているときは待機状態であり、振動が振動検知部１５により検知された際に動作状態へ遷移するため、ユーザは待機状態のリモコン１０に情報表示等の各種の処理を実行させるために特別に通常状態に遷移するためのスイッチ等の操作を行う必要性がないため、ユーザの利便性を向上させることができる。
【００５４】
さらに、本発明の実施形態に係るリモコン１０は、振動検知部１５として、導体球１５２の転動を利用した傾斜センサを用いるため、半導体式の加速度センサ等を用いる場合に比べて、低コストで製造することができる。
【００５５】
さらに、本発明の実施形態に係るリモコン１０は、予め設定されている設置状態に設置した際に、導体球１５２が転動する限界となるように振動検知部１５が筐体１１内に設置される。従って、想定される設置状態で振動を精度よく検知することができ、確実に待機状態から通常状態に遷移することが可能となる。
【００５６】
さらに、予め設定されている設置状態として、リモコン１０を水平に設置した場合、および垂直にした設置した場合の何れの場合であっても、導体球１５２が転動する限界となるように振動検知部１５を設置したので、水平状態および垂直状態の何れの場合であっても、リモコン１０の振動を精度よく検知することができ、確実に待機状態から通常状態に遷移することが可能となる。
【００５７】
なお、本発明は、上記実施形態に限定されず、本発明の要旨を逸脱しない範囲での種々の変更は勿論可能である。
【００５８】
例えば、本発明に係るリモコン１０の予め設定されている設置状態として、図４に示すような水平および垂直に設置される状態があるとしたが、設置状態はこれらの状態に限定されるものではない。例えば、水平から所定角度傾いた専用の台等にリモコン１０が設置されることが想定される場合には、この所定角度傾いた状態を予め設定されている設置状態とすればよい。そして、この場合、この所定角度傾いた状態で導体球１５２が転動する限界となるように、振動検出部１５を筐体１１内に固定すればよい。
【００５９】
また、上記実施形態では、１個の振動検知部１５を、リモコン１０を水平に置いた際に、導体球１５２が転動する限界となるような位置に固定した。しかし、図１５（Ａ）（Ｂ）に示すように、複数（図１５では２個）の振動検知部１５をそれぞれ異なる角度で筐体内に固定してもよい。前述したように、振動検知部１５は置かれる傾きによって振動検知の感度が異なるため、このように複数の振動検知部１５を異なる角度で固定することにより、リモコン１０が水平、垂直状態に限らず、如何なる方向で静置されていたとしても、振動を確実に検知することが可能となる。
【符号の説明】
【００６０】
１０    リモートコントロール装置（リモコン）
１１    筐体
１２    表示部
１３    入力部
１４    制御基板
１４１  ＲＯＭ
１４２  ＲＡＭ
１４３  計時部
１４４  通信部
１４５  ＣＰＵ
１４６  発振回路
１５    振動検知部
１５１  ケース
１５２  導体球
１５３ａ、１５３ｂ  固定接点
１６    電源部
Ｓ      収納部
【図１】
0005566224.tif 000002
【図２】
0005566224.tif 000003
【図３】
0005566224.tif 000004
【図４】
0005566224.tif 000005
【図５】
0005566224.tif 000006
【図６】
0005566224.tif 000007
【図７】
0005566224.tif 000008
【図８】
0005566224.tif 000009
【図９】
0005566224.tif 000010
【図１０】
0005566224.tif 000011
【図１１】
0005566224.tif 000012
【図１２】
0005566224.tif 000013
【図１３】
0005566224.tif 000014
【図１４】
0005566224.tif 000015
【図１５】
0005566224.tif 000016